(57)【要約】【課題】複数の記録媒体に跨って記録されたコンテンツを一つの記録媒体にまとめるのに要する時間を短くすることができる。【解決手段】第１の記録媒体（５Ａ）にコンテンツのＡＶデータの第１の部分を記録し、第２の記録媒体（５Ｂ）にコンテンツのＡＶのデータの第２の部分を記録する。第２の記録媒体（５Ｂ）に第２の部分の記録を行いながら、第１の部分のうちの一部の区間のデータを第１の記録媒体（５Ａ）から第２の記録媒体（５Ｂ）に複写する。【選択図】図１
2014049150.tif 000002
【特許請求の範囲】
【請求項１】
受信したコンテンツの映像又は音声のデータを解析する解析部と、
複数の記録媒体のうちの選択された記録媒体に前記映像又は音声のデータを記録するデータ記録部とを有し、
前記データ記録部は、前記複数の記録媒体のうちの、第１の記録媒体に前記コンテンツの映像又は音声のデータの第１の部分を記録し、第２の記録媒体に前記コンテンツの映像又は音声のデータの前記第１の部分の後に再生されるべき第２の部分を記録する場合、前記第２の記録媒体に前記第２の部分の記録を行いながら、前記第１の部分のうちの、前記解析の結果に基づいて定められた一部の区間のデータを前記第１の記録媒体から前記第２の記録媒体に複写する
ことを特徴とする記録装置。
【請求項２】
前記解析部が、前記映像データのＩピクチャの位置を示すＩピクチャ情報を取得し、
前記データ記録部が前記Ｉピクチャのデータ又はＩピクチャ以外のデータを、前記一部の区間のデータとして、前記第２の記録媒体に複写する
ことを特徴とする請求項１に記載の記録装置。
【請求項３】
前記解析部が、前記映像又は音声のデータの特徴区間の位置を示す特徴区間情報を取得し、
前記データ記録部が前記特徴区間のデータ又は前記特徴区間以外のデータを、前記一部の区間のデータとして、前記第２の記録媒体に複写する
ことを特徴とする請求項１に記載の記録装置。
【請求項４】
前記データ記録部は、前記第１の記録媒体に、前記コンテンツの前記第１の部分を記録するとともに、前記第２の部分を記録した記録媒体を特定する情報を記録し、
前記第２の記録媒体に、前記コンテンツの前記第２の部分を記録するとともに、前記第１の部分を記録した記録媒体を特定する情報を記録する
ことを特徴とする請求項１乃至３のいずれかに記載の記録装置。
【請求項５】
前記データ記録部は、前記第１の記録媒体及び前記第２の記録媒体の双方に、前記コンテンツの映像又は音声のデータの再生の制御又は記録されたコンテンツの一覧の作成に用いられる情報を記録することを特徴とする請求項１乃至４のいずれかに記載の記録装置。
【請求項６】
受信したコンテンツの映像又は音声のデータを解析する解析部と、
複数の記録媒体のうちの選択された記録媒体に前記映像又は音声のデータを記録するデータ記録部と、
前記記録媒体から前記映像又は音声のデータを再生するデータ再生部とを有し、
前記データ記録部は、前記複数の記録媒体のうちの、第１の記録媒体に前記コンテンツの映像又は音声のデータの第１の部分を記録し、第２の記録媒体に前記コンテンツの映像又は音声のデータの前記第１の部分の後に再生されるべき第２の部分を記録する場合、前記第２の記録媒体に前記第２の部分の記録を行いながら、前記第１の部分のうちの、前記解析の結果に基づいて定められた一部の区間のデータを前記第１の記録媒体から前記第２の記録媒体に複写する
ことを特徴とする記録再生装置。
【請求項７】
前記解析部が、前記映像又は音声のデータの特徴区間を示す特徴区間情報を生成し、
前記データ記録部が、前記特徴区間情報に基づいて、前記特徴区間の映像又は音声のデータと、前記特徴区間以外の映像又は音声のデータとを分割して記録し、
前記データ再生部が、前記特徴区間の情報に基づいて、特徴区間の映像又は音声のデータのみ、又は特徴区間以外の映像又は音声のデータのみ、或いは前記分割して記録した映像又は音声のデータを統合しながら再生する
ことを特徴とする請求項６に記載の記録再生装置。
【請求項８】
受信したコンテンツの映像又は音声のデータを解析し、
複数の記録媒体のうちの選択された記録媒体に前記映像又は音声のデータを記録し、
前記データ記録において、
前記複数の記録媒体のうちの、第１の記録媒体に前記コンテンツの映像又は音声のデータの第１の部分を記録し、第２の記録媒体に前記コンテンツの映像又は音声のデータの前記第１の部分の後に再生されるべき第２の部分を記録する場合、前記第２の記録媒体に前記第２の部分の記録を行いながら、前記第１の部分のうちの、前記解析の結果に基づいて定められた一部の区間のデータを前記第１の記録媒体から前記第２の記録媒体に複写する
ことを特徴とする記録方法。
【請求項９】
前記解析において、前記映像データのＩピクチャの位置を示すＩピクチャ情報を取得し、
前記データ記録において、前記Ｉピクチャのデータ又はＩピクチャ以外のデータを、前記一部の区間のデータとして、前記第２の記録媒体に複写することを特徴とする請求項８に記載の記録方法。
【請求項１０】
前記解析において、前記映像又は音声のデータの特徴区間の位置を示す特徴区間情報を取得し、
前記データ記録において、前記特徴区間のデータ又は前記特徴区間以外のデータを、前記一部の区間のデータとして、前記第２の記録媒体に複写する
ことを特徴とする請求項８に記載の記録方法。
【請求項１１】
前記データ記録において、前記第１の記録媒体に、前記コンテンツの前記第１の部分を記録するとともに、前記第２の部分を記録した記録媒体を特定する情報を記録し、
前記第２の記録媒体に、前記コンテンツの前記第２の部分を記録するとともに、前記第１の部分を記録した記録媒体を特定する情報を記録する
ことを特徴とする請求項８乃至１０のいずれかに記載の記録方法。
【請求項１２】
前記データ記録において、前記第１の記録媒体及び前記第２の記録媒体の双方に、前記コンテンツの映像又は音声のデータの再生の制御又は記録されたコンテンツの一覧の作成に用いられる情報を記録することを特徴とする請求項８乃至１１のいずれかに記載の記録方法。
【請求項１３】
受信したコンテンツの映像又は音声のデータを解析し、
複数の記録媒体のうちの選択された記録媒体に前記映像又は音声のデータを記録し、
前記記録媒体から前記映像又は音声のデータを再生し、
前記データ記録において、前記複数の記録媒体のうちの、第１の記録媒体に前記コンテンツの映像又は音声のデータの第１の部分を記録し、第２の記録媒体に前記コンテンツの映像又は音声のデータの前記第１の部分の後に再生されるべき第２の部分を記録する場合、前記第２の記録媒体に前記第２の部分の記録を行いながら、前記第１の部分のうちの、前記解析の結果に基づいて定められた一部の区間のデータを前記第１の記録媒体から前記第２の記録媒体に複写する
ことを特徴とする記録再生方法。
【請求項１４】
前記解析において、前記映像又は音声のデータの特徴区間を示す特徴区間情報を生成し、
前記データ記録において、前記特徴区間情報に基づいて、前記特徴区間の映像又は音声のデータと、前記特徴区間以外の映像又は音声のデータとを分割して記録し、
前記データ再生において、前記特徴区間の情報に基づいて、特徴区間の映像又は音声のデータのみ、又は特徴区間以外の映像又は音声のデータのみ、或いは前記分割して記録した映像又は音声のデータを統合しながら再生する
ことを特徴とする請求項１３に記載の記録再生方法。
【発明の詳細な説明】
【技術分野】
【０００１】
本発明は、コンテンツを複数の記録媒体に記録する記録装置及び方法に関する。本発明はまた、コンテンツを複数の記録媒体に記録し、記録されたコンテンツを再生する記録再生装置及び方法に関する。本発明は特に、外部の供給源から供給されたコンテンツ、例えば放送された番組のデータの一部分（前部）を一つの記録媒体に記録し、他の部分（後部）を他の記録媒体に記録した後、上記コンテンツのデータを上記他の記録媒体にまとめる（その全体を上記他の記録媒体に記録する）ため、上記一部分（前部）を上記一つの記録媒体から上記他の記録媒体に複写するのに要する時間を短くすることができる記録装置及び方法、並びに記録再生装置及び方法に関する。
【背景技術】
【０００２】
複数の記録媒体を持つ記録再生装置が普及しており、また着脱が容易なＵＳＢ−ＨＤＤを用いて記録容量を増加させるＤＶＤ／ＨＤＤ搭載の記録再生装置も多く用いられるようになってきている。
【０００３】
例えば、特許文献１には、複数の記録媒体に跨って記録されている番組を、連続して再生可能にする技術が開示されている。しかしながら、一つの番組が複数の記録媒体に跨って記録されている場合、当該複数の記録媒体がすべて接続されていないと当該番組を連続して再生することができないという問題がある。そこで、一旦複数の記録媒体に跨って記録された番組を一つの記録媒体にまとめることが望ましいが、そのために記録媒体間でのデータの転送に長時間を要するという問題がある。
【０００４】
放送された音声のみを記録（録音）する場合にも同様の問題があり、また放送された番組以外のコンテンツ、例えばネットワークを介して配信されたコンテンツを記録する場合にも同様の問題がある。
【先行技術文献】
【特許文献】
【０００５】
【特許文献１】特開２００１−０５２４６６号公報
【発明の概要】
【発明が解決しようとする課題】
【０００６】
本発明は、上記の問題を解決するためのものであって、複数の記録媒体に跨って記録されたコンテンツを一つの記録媒体にまとめるためのデータの転送を短時間で行うことができるようにすることを目的とする。
【課題を解決するための手段】
【０００７】
本発明の記録装置は、
受信したコンテンツの映像又は音声のデータを解析する解析部と、
複数の記録媒体のうちの選択された記録媒体に前記映像又は音声のデータを記録するデータ記録部とを有し、
前記データ記録部は、前記複数の記録媒体のうちの、第１の記録媒体に前記コンテンツの映像又は音声のデータの第１の部分を記録し、第２の記録媒体に前記コンテンツの映像又は音声のデータの前記第１の部分の後に再生されるべき第２の部分を記録する場合、前記第２の記録媒体に前記第２の部分の記録を行いながら、前記第１の部分のうちの、前記解析の結果に基づいて定められた一部の区間のデータを前記第１の記録媒体から前記第２の記録媒体に複写する
ことを特徴とする。
【０００８】
本発明の記録再生装置は、
受信したコンテンツの映像又は音声のデータを解析する解析部と、
複数の記録媒体のうちの選択された記録媒体に前記映像又は音声のデータを記録するデータ記録部と、
前記記録媒体から前記映像又は音声のデータを再生するデータ再生部とを有し、
前記データ記録部は、前記複数の記録媒体のうちの、第１の記録媒体に前記コンテンツの映像又は音声のデータの第１の部分を記録し、第２の記録媒体に前記コンテンツの映像又は音声のデータの前記第１の部分の後に再生されるべき第２の部分を記録する場合、前記第２の記録媒体に前記第２の部分の記録を行いながら、前記第１の部分のうちの、前記解析の結果に基づいて定められた一部の区間のデータを前記第１の記録媒体から前記第２の記録媒体に複写することを特徴とする。
【発明の効果】
【０００９】
本発明によれば、複数の記録媒体に跨って記録されたコンテンツを一つの記録媒体にまとめるのに要する時間を短くすることができる。
【図面の簡単な説明】
【００１０】
【図１】本発明の実施の形態１の記録再生装置の構成を概略的に示すブロック図である。
【図２】実施の形態１の受信処理部の構成例を示すブロック図である。
【図３】実施の形態１の記録再生処理部の構成例を示すブロック図である。
【図４】実施の形態１の出力処理部の構成例を示すブロック図である。
【図５】実施の形態１の記録再生装置による、録画開始時の動作を示すフローチャートである。
【図６】実施の形態１の記録再生装置による、録画中の記録媒体変更の動作を示すフローチャートである。
【図７】（ａ）及び（ｂ）は、実施の形態１の記録再生装置により記録された記録媒体上の領域の配置の一例を示す図である。
【図８】（ａ）及び（ｂ）は、実施の形態１の記録再生装置により記録された記録媒体上の領域の配置の一例を示す図である。
【図９】（ａ）〜（ｄ）は、実施の形態１の記録再生装置により記録された記録媒体上の領域の配置の一例を示す図である。
【図１０】本発明の実施の形態２に係る記録再生装置の構成を概略的に示すブロック図である。
【図１１】実施の形態２の受信処理部の構成例を示すブロック図である。
【図１２】実施の形態２の記録再生処理部の構成例を示すブロック図である。
【図１３】（ａ）及び（ｂ）は、記録媒体に通常の記録を行う場合と、分割記録を行う場合の、領域の割り当ての例を示す図である。
【図１４】（ａ）〜（ｈ）は、実施の形態２により、２つの記録媒体に跨って分割記録を行う場合の、各記録媒体の各領域における記録の進行の様子を示す図である。
【発明を実施するための形態】
【００１１】
以下、本発明を記録及び再生の機能を有する記録再生装置として説明するが、記録機能のみを有する記録装置にも本発明を適用することができる。
【００１２】
実施の形態１．
図１は本発明の実施の形態１の記録再生装置１０を示す。
図示の記録再生装置１０は、複数の記録媒体を接続することができ、外部から供給されるコンテンツを上記複数の記録媒体のうちの２つに跨って連続して記録することができ、かつ上記２つの記録媒体に跨って記録されたコンテンツを連続して再生することができるものである。
ここでいうコンテンツは、例えば放送されるコンテンツ（番組）、或いはネットワークを介して配信されるコンテンツであり、例えばＭＰＥＧにより符号化されたものである。
【００１３】
図１に示される記録再生装置１０は、操作入力部１１と、録画再生制御部１２と、受信処理部１３と、記録再生処理部１４と、出力処理部１６とを有する。出力処理部１６は、出力部１７に接続されている。
記録再生処理部１４には、複数の記録媒体５Ａ、５Ｂ、…５Ｎが着脱可能に接続される。
【００１４】
操作入力部１１は、ユーザーから操作入力を受け、該操作入力に対応した制御信号（コマンド）ＣＭ１を、録画再生制御部１２に供給する。
操作入力としては、録画すべきコンテンツの選択の指示、予約録画のための指示、録画開始の指示、録画コンテンツの一覧の表示の指示、再生すべきコンテンツの選択の指示、再生の開始の指示、録画の停止の指示、再生の停止の指示などがある。
【００１５】
操作入力部１１は、本体に設けられたキー入力部、リモコンからの赤外線信号の受信部を含む。操作入力が出力部１７の画面上でのＧＵＩを用いて行われる場合、ＧＵＩのためのデータ処理も操作入力部１１で行っても良い。
【００１６】
録画再生制御部１２は、操作入力部１１からのコマンドＣＭ１に応じた録画及び再生の制御を行う。
【００１７】
コマンドＣＭ１が録画に関するものである場合、対応する制御信号（コマンド）ＣＭ２が録画再生制御部１２から受信処理部１３に供給される。ユーザーからの操作入力が予約録画を指示するものである場合には、入力された情報は録画再生制御部１２に保持され、予約録画を実行する時刻になったときに、受信処理部１３に対して、録画の実行のための制御信号ＣＭ２が供給される。コンテンツが複数チャンネル（系統）の音声（主音声と副音声など）を含む場合、録画に関する指示には、記録すべき音声を指定する情報が含まれることがある。
【００１８】
コマンドＣＭ１が再生に関するものである場合、対応する制御信号（コマンド）ＣＭ３が録画再生制御部１２から、出力処理部１６に供給される。
【００１９】
受信処理部１３は、外部からストリームとして供給されるコンテンツのデータを受けて、コンテンツのデータを必要に応じて選別し、記録媒体への記録に適した形式のデータに変換し、さらにコンテンツのＡＶデータから付属情報を抽出乃至生成して、ＡＶデータと、付属情報とを記録再生処理部１４に供給する。
【００２０】
受信処理部１３は、例えば図２に示すように、受信部３０１と、選別部３０４と、解析部３０５と、エンコーダー３０７と、バッファ部３０８を有する。
【００２１】
受信部３０１は、チューナー部３０２とネットワークインターフェース部３０３とを有する。
チューナー部３０２は、放送されたコンテンツ（番組）を受信する際の選局を行う。
ネットワークインターフェース部３０３は、ネットワークを介して配信されたコンテンツのデータを受信する。
【００２２】
選別部３０４は、受信部３０１から出力されるコンテンツのデータＤｓのうちの必要なもののみを選択する。例えば、コンテンツが複数チャンネルの音声（例えば主音声と、副音声）を含む場合、そのいずれかを選択して出力する。この選別は、例えばユーザーによる操作入力に応じて行われるものであり、例えば、個々のコンテンツの録画開始時、或いは録画予約時にユーザーによる操作入力に応じて、どのチャンネルを選択するかが決められる。
【００２３】
解析部３０５は、コンテンツからその付属情報を取得する。解析部３０５は、付属情報生成部３０６を有し、該付属情報生成部３０６は、選別部３０４から出力されたコンテンツのデータから付属情報を抽出し、或いはコンテンツのデータを解析することで付属情報Ｄｂを生成する。抽出乃至生成される付属情報Ｄｂには、映像データのフォーマット情報、音声データのフォーマット情報、映像データの構成情報、音声データの構成情報、字幕情報、映像データのコーデック情報、映像データに含まれるＩピクチャの位置を示す情報、音声データのコーデック情報、音声データのチャンネル数（系統数）を示す情報、コンテンツのタイトルを表す情報、放送日時を表す情報、チャンネル番号を表す情報の全部又は一部が含まれる。これらの付属情報は、再生の制御、または録画されたコンテンツの一覧の生成のために用いられる。
【００２４】
エンコーダー３０７は、選別部３０４から出力されたＡＶデータＤａを必要に応じて、例えば記録に用いる記録媒体の特性に適合するように、例えばより高い圧縮率のデータに符号化する。なお、選別部３０４から出力されるＡＶデータＤａをそのまま（符号化を行うことなく）出力しても良い。
【００２５】
バッファ部３０８は、エンコーダー３０７から出力されたＡＶデータＤａを一時的に保持する。
外部から供給されたデータを記録媒体に記録する際は、通常一定量ずつバッファ部３０８に蓄えた後、記録再生処理部１４に供給する。ここでいう一定量は、所定の放送時間乃至送信時間（例えば１秒）分のデータ、或いは所定のデータ量（例えば５ＭＢ）である。
【００２６】
解析部３０５で生成された付属情報Ｄｂも一旦バッファ部３０８に蓄えられた後、受信処理部１３から記録再生処理部１４に出力される。
【００２７】
記録再生処理部１４は、受信処理部１３から出力されるＡＶデータＤａ及び付属情報Ｄｂから、コンテンツ情報Ｄｃ及びＩピクチャ情報Ｄｄを生成し、ＡＶデータＤａ、及び付属情報Ｄｂ、並びにコンテンツ情報Ｄｃ及びＩピクチャ情報Ｄｄを、記録媒体５Ａ〜５Ｎ（のうちの選択されたもの）に記録する。
【００２８】
ここで言うコンテンツ情報Ｄｃは、ユーザーに表示する可能性が高いデータであるコンテンツを特定する情報（タイトル名）、放送種別（ＢＳ、ＣＳ、地上ディジタルの区別など）、放送チャンネル番号、録画日時（放送日時）、録画モード、録画時間（放送時間）、データサイズの全部又は一部を含む。
Ｉピクチャ情報Ｄｄは、Ｉピクチャのデータサイズ、及び当該Ｉピクチャが含まれるＧＯＰを示す情報（ＧＯＰを特定する情報乃至ＧＯＰの位置を表す情報）を含む。ＧＯＰの位置を表す情報はＩピクチャの位置を表す情報として用いられる。
以下では、各コンテンツの付属情報Ｄｂ、コンテンツ情報Ｄｃ、及びＩピクチャ情報Ｄｄをまとめ、さらに後述のリンク情報Ｄｆをも加えたものを関連情報Ｄｅと言う。
【００２９】
記録再生処理部１４はまた、記録媒体５Ａ〜５ＮからＡＶデータＤａ、及び関連情報Ｄｅを読み出して、出力処理部１６に供給する処理、記録媒体５Ａ〜５Ｎのうちの一つ（例えば５Ａ）からＡＶデータＤａ、並びに及び関連情報Ｄｅを読み出して、他の記録媒体（例えば５Ｂ）に書き込む処理、並びに記録媒体５Ａ〜５Ｎに記録されているＡＶデータＤａ、及び関連情報Ｄｅの一部又は全部を消去する処理を制御する。
【００３０】
受信処理部１３からのデータを記録媒体５Ａ〜５Ｎに書き込む際は、ＡＶデータＤａ、及び関連情報Ｄｅを所定の順序に配列して、書き込む。一般に各コンテンツのＡＶデータＤａの前に、当該コンテンツの関連情報Ｄｅを書き込む。
【００３１】
各コンテンツをどの記録媒体に書き込むかは、ユーザーの操作（録画予約のための操作を含む）により選択しても良い。ユーザーが選択しなかった場合には、自動的に選択を行う。自動的に選択を行う場合には、記録再生処理部１４が、記録媒体５Ａ〜５Ｎの空き容量などを管理しコンテンツを記録する記録媒体を決定する。
【００３２】
また、記録しようとするコンテンツの全体がユーザーの操作により選択された記録媒体の空き容量に収まらない場合には、該コンテンツの一部分を選択されている記録媒体に記録し、残りの部分を次に選択される記録媒体に記録するようにしても良い。
【００３３】
１つのコンテンツを２つの記録媒体に跨って記録を行う場合には、各記録媒体に記録されたコンテンツ部分に関連付けてリンク情報Ｄｆを関連情報Ｄｅとの一部として記録する。リンク情報Ｄｆは、一つのコンテンツが２つの記録媒体に跨って記録されていること、及び各記録媒体に一部分が記録されているコンテンツの他の部分がどの記録媒体に記録されているか、及び再生の順序（どちらの記録媒体に記録されている部分を先に再生すべきか）を示す情報である。このようなリンク情報Ｄｆの生成、及び記録の制御も記録再生処理部１４で行われる。
【００３４】
また、１つの記録媒体（第１の記録媒体）にコンテンツの一部分（前の部分乃至第１の部分）を記録し、他の記録媒体（第２の記録媒体）にコンテンツの残りの部分（後の部分乃至第２の部分）を記録する場合、後に上記第２の記録媒体に当該コンテンツの全部をまとめることを可能にするため、最初に上記一部分の、上記第１の記録媒体からの複写のための領域を確保し、該確保した領域に続く位置から、上記コンテンツの第２の残りの部分の記録を開始する。また、上記残りの部分を記録しながら、上記一部分のうちの選択されたデータを上記確保した領域に上記第１の記録媒体から複写するのが望ましい。このような領域の確保、データの複写の制御も記録再生処理部１４で行われる。
【００３５】
記録再生処理部１４は、例えば図３に示すように、付属情報解読部４０１と、ＡＶデータ書き込み制御部４０２と、関連情報書き込み制御部４０３と、書き込み読み出し部４０４と、ＡＶデータ読み出し制御部４０５と、関連情報読み出し制御部４０６と、記録媒体管理部４０７とを有する。記録媒体管理部４０７は、管理情報記憶部４０８を備えている。
【００３６】
付属情報解読部４０１は、受信処理部１３から供給されているコンテンツの付属情報Ｄｂから、コンテンツ情報ＤｃとＩピクチャ情報Ｄｄを抽出する。
【００３７】
ＡＶデータ書き込み制御部４０２は、受信処理部１３から出力されたコンテンツのＡＶデータＤａを書き込み読み出し部４０４に送信する。
関連情報書き込み制御部４０３は、付属情報解読部４０１から供給されたＩピクチャ情報Ｄｄ及びコンテンツ情報Ｄｃ、並びに受信処理部１３から供給された付属情報Ｄｂを書き込み読み出し部４０４に供給し、これらの情報の記録媒体への書き込みを行わせる。
【００３８】
書き込み読み出し部４０４は、ＡＶデータ書き込み制御部４０２から供給されたＡＶデータＤａを選択された記録媒体に書き込む。書き込み読み出し部４０４はさらに、関連情報書き込み制御部４０３から供給された付属情報Ｄｂ、コンテンツ情報Ｄｃ、及びＩピクチャ情報Ｄｄ、並びにその内部で生成したリンク情報Ｄｆを関連情報Ｄｅとして記録媒体に書き込む。
【００３９】
書き込み読み出し部４０４はまた、選択された記録媒体から、選択されたコンテンツのＡＶデータＤａを読み出して、ＡＶデータ読み出し制御部４０５に供給するとともに、当該コンテンツの関連情報Ｄｅを読み出して、関連情報読み出し制御部４０６に供給する。
【００４０】
ＡＶデータ読み出し制御部４０５は、再生すべきものとして指定されたコンテンツのＡＶデータＤａを書き込み読み出し部４０４に読み出させる。
【００４１】
関連情報読み出し制御部４０６は、再生すべきものとして指定されたコンテンツの関連情報Ｄｅを書き込み読み出し部４０４に読み出させる。
【００４２】
書き込み読み出し部４０４は、記録媒体５Ａ〜５Ｎから、各記録媒体に記録されているコンテンツの各々のコンテンツ情報Ｄｃ及びリンク情報Ｄｆ、並びに各記録媒体におけるそれぞれのデータの配置、各記録媒体の空き容量を示す情報を取得し、これらの情報を記録媒体管理部４０７に供給し、記録媒体管理部４０７では、これらの情報を管理情報記憶部４０８に記憶させる。
【００４３】
記録媒体管理部４０７は、これらの情報に基づいて、受信処理部１３から録画に関する制御コマンドを受けて、新たなコンテンツのデータをどの記録媒体に記録するかなどの決定を行う。
各コンテンツを２つの記録媒体に跨って記録する場合には、そのことを示す情報、及び再生の順序を示す情報を生成して、記録媒体に記録するともに、管理情報記憶部４０８に記憶させる。
【００４４】
記録媒体が記録再生処理部１４から分離されたり（抜き取られたり）、接続されたり（差し込まれたり）したときは、記録媒体管理部４０７は、管理情報記憶部４０８に記憶されている管理情報を更新する。例えば、記録媒体が新たに接続されると、当該接続された記録媒体に記憶されている各コンテンツのコンテンツ情報、及びリンク情報を読み込んで、管理情報を更新する。
【００４５】
記録媒体管理部４０７はまた、管理情報記憶部４０８に記憶されている、各コンテンツのコンテンツ情報に基づいて、コンテンツ一覧を作成する。
作成されたコンテンツ一覧を表す情報Ｄｈは、管理情報記憶部４０８に記憶されるとともに、出力処理部１６を介して出力部１７に供給され、出力部１７では、記録媒体５Ａ〜５Ｎに記録されているコンテンツの一覧を見ることができる。ユーザーは、この一覧を見て、再生したいコンテンツを指定して、再生の指示を入力する。
【００４６】
記録媒体５Ａ〜５Ｎに記録されているコンテンツのうち、ユーザーにより指定されたコンテンツを読み出して、出力部１７に供給する場合には、指定されたコンテンツの関連情報Ｄｅのうちの出力処理に必要な情報、例えばそのコーデック情報、及び字幕情報、並びにＡＶデータＤａを読み出して出力処理部１６に供給する。
この場合、指定されたコンテンツがどの記録媒体に記録されているかは記録再生処理部１４の管理情報記憶部４０８に保持されている管理情報から判断することができ、管理情報に基づいて、読み出しの対象とすべき記録媒体が特定される。
【００４７】
再生すべきコンテンツが２つの記録媒体に跨って記録されている場合には、管理情報記憶部４０８に保持されているリンク情報Ｄｆに基づいて、記録媒体の読み出し順序が決められる。
【００４８】
複数の記録媒体に跨って記録されているコンテンツを一つの記録媒体にまとめる（集約する）ための処理も、記録再生処理部１４により行われる。
【００４９】
上記のうち、付属情報解読部４０１、ＡＶデータ書き込み制御部４０２、関連情報書き込み制御部４０３、書き込み読み出し部４０４、及び記録媒体管理部４０７によりデータ記録部４１１が構成され、ＡＶデータ読み出し制御部４０５、関連情報読み出し制御部４０６、書き込み読み出し部４０４、及び記録媒体管理部４０７によりデータ再生部４１２が構成されている。
【００５０】
出力処理部１６は、記録再生処理部１４から供給されたデータを必要に応じて出力部１７での処理に適した形式に変換して出力部１７に供給して、出力部１７で出力させる。
【００５１】
出力処理部１６は、再生すべきものとして指定されたコンテンツのＡＶデータＤａと関連情報Ｄｅが記録再生処理部１４から供給されると、関連情報Ｄｅに含まれる出力処理のための情報、例えばデコードのための情報に基づいてＡＶデータＤａを処理して、また、関連情報Ｄｅに含まれる字幕情報に基づいて字幕の重畳（オーバーレイ）を行った上で、出力部１７に供給し、出力部１７に出力（映像表示及び音声出力）を行わせる。
【００５２】
また、コンテンツ一覧を表す情報Ｄｈが記録再生処理部１４から供給されると、該一覧を表す情報Ｄｈが出力処理部１６から出力部１７に供給され、出力部１７で一覧が出力される。一覧の出力は通常映像表示で行われるが、これに加えて音声を出力させても良い。
【００５３】
出力処理部１６は、図４に示すように、管理情報取得部６０１と、関連情報取得部６０２と、ＡＶデータ取得部６０３と、デコーダー６０４と、合成部６０５とを有する。
【００５４】
管理情報取得部６０１は、録画再生制御部１２からの指示に従って、記録再生処理部１４の記録媒体管理部４０７から管理情報を取得する。例えば、録画再生制御部１２から、録画コンテンツの一覧の表示（記録再生処理部１４に接続されている記録媒体の全部又は特定の記録媒体に記録されているコンテンツ一覧）の表示が要求されたときに、コンテンツ一覧を表す情報Ｄｈを取得し、これに基づいてコンテンツ一覧を出力部１７で表示するために行われる。
【００５５】
関連情報取得部６０２は、録画再生制御部１２からの指示に従って、記録再生処理部１４から、再生が指示されているコンテンツの関連情報Ｄｅ（例えば出力処理に必要な情報、及び字幕情報）を取得する。
関連情報取得部６０２は、関連情報Ｄｅの取得を、各コンテンツの再生開始時に一括して行ってもよく、各コンテンツのＡＶデータＤａの再生中に逐次行っても良い。
【００５６】
ＡＶデータ取得部６０３は、録画再生制御部１２からのコンテンツの再生の指示に従って、記録再生処理部１４から、再生が指示されているコンテンツのＡＶデータＤａの取得を行う。
【００５７】
デコーダー６０４は、記録再生処理部１４から供給されたＡＶデータＤａを、必要に応じてデコードする。デコードに当たり、関連情報取得部６０２で取得した、関連情報Ｄｅ、例えばＡＶデータＤａのデコードのための情報を利用する。
【００５８】
デコードされたＡＶデータＤａは合成部６０５に供給される。
合成部６０５は、デコーダー６０４から送られてきた、デコードされた、ＡＶデータＤａと、管理情報取得部６０１からの管理情報、例えばコンテンツ一覧を表す情報Ｄｈを合成する。管理情報をＡＶデータＤａに合成するに当たり、合成部６０５では、必要に応じて管理情報から、管理情報を表示するためのビットマップデータを生成して、ＡＶデータＤａで表される映像と重畳（オーバーレイ）するなどの処理を行う。
【００５９】
合成部６０５で合成されたデータは、出力部１７に供給される。出力部１７では、供給された合成データに含まれるＡＶデータＤａ及び管理情報に応じた映像及び音声の出力（映像の表示及び音声の出力）を行う。
【００６０】
出力部１７は、モニター等の出力機器でも、録画時にネットワークを介してコンテンツを供給した供給源を構成する他の機器であってもよい。
【００６１】
以下、上記の記録再生装置の再生動作について説明する。
ユーザーが再生すべきコンテンツを選択して、再生開始の指示を与えると、操作入力部１１は、録画再生制御部１２に再生開始の指示ＣＭ１を与える。
操作入力部１１からの再生開始指示ＣＭ１を受けて、録画再生制御部１２は、再生開始制御信号ＣＭ３を出力処理部１６に送信する。
【００６２】
出力処理部１６は、再生が要求されたコンテンツのＡＶデータＤａ及び関連情報Ｄｅ、特に出力処理部１６での処理、例えばデコーダー６０４におけるデコードのための処理に必要な情報の出力を記録再生処理部１４に要求する。
関連情報Ｄｅの出力の要求は、関連情報取得部６０２から記録再生処理部１４に伝えられる。
【００６３】
記録再生処理部１４では、この要求に応じて、関連情報読み出し制御部４０６及び書き込み読み出し部４０４により、記録媒体５Ａ〜５Ｎ（これらのうちの選択されたコンテンツが記録されている記録媒体）から関連情報Ｄｅを読み出して、出力する。
ＡＶデータＤａの出力の要求は、ＡＶデータ取得部６０３から記録再生処理部１４に伝えられる。
【００６４】
記録再生処理部１４では、この要求に応じて、ＡＶデータ読み出し制御部４０５及び書き込み読み出し部４０４による制御の下で書き込み読み出し部４０４が、記録媒体５Ａ〜５Ｎ（これらのうちの選択されたコンテンツが記録されている記録媒体）からＡＶデータを読み出して、出力する。
【００６５】
一つのコンテンツが２つの記録媒体に跨って記録されている場合には、当該コンテンツの第１の部分を記録した記録媒体（記録媒体５Ａ）、第２の部分を記録した記録媒体（５Ｂ）の順に再生する。当該コンテンツが２つの記録媒体に跨って記録されていること、どちらの記録媒体を先に再生すべきかなどは、記録媒体管理部４０７が、管理情報記憶部４０８に保持されているリンク情報Ｄｆに基づいて判断する。
【００６６】
デコーダー６０４は、関連情報取得部６０２から取得した関連情報（例えばそのうちのデコードに必要な情報）Ｄｅと、ＡＶデータ取得部６０３から取得したＡＶデータＤａを使用し、ＡＶデータ（ストリームデータ）Ｄａのデコードを行い合成部６０５に送信する。
【００６７】
合成部６０５は、デコーダー６０４から送られてきた、デコードされたＡＶデータＤａを（必要に応じて管理情報取得部６０１からの管理情報と合成した上で）、出力部１７に供給し、出力部１７では、供給されたＡＶデータＤａ（及び管理情報）に応じた映像及び音声の出力（映像の表示及び音声の出力）を行う。
【００６８】
コンテンツの再生に先立ち、ユーザーの操作により、コンテンツの一覧の表示が要求されることがある。この要求が入力されると、出力処理部１６の管理情報取得部６０１は、記録再生処理部１４に対してコンテンツ一覧を表す情報Ｄｈを要求する。この要求が記録再生処理部１４に伝えられると記録再生処理部１４の記録媒体管理部４０７は、管理情報記憶部４０８に記憶されているコンテンツ一覧を表す情報Ｄｈを読み出して、出力処理部１６の管理情報取得部６０１に供給する。出力処理部１６の管理情報取得部６０１では、コンテンツ一覧を表す情報Ｄｈを、合成部６０５を介して出力部１７に供給し、出力部１７で一覧が表示され、コンテンツの選択に利用される。
【００６９】
次に上記の記録再生装置の録画動作について、説明する。
録画動作は、ユーザーによる操作入力に応じて直ちに、或いは録画予約に基づいて録画再生制御部１２から発生される指示に基づいて開始される。録画開始のため、録画再生制御部１２は、録画開始制御信号ＣＭ２を受信処理部１３に送信する。受信処理部１３の解析部３０５は、受信しているコンテンツから付属情報Ｄｂを抽出して出力する。
【００７０】
記録再生処理部１４は、供給されたＡＶデータＤａ及び付属情報Ｄｂから、コンテンツ情報Ｄｃ及びＩピクチャ情報Ｄｄを生成し、ユーザーの指示に基づいてコンテンツを記録する記録媒体を決定し、決定した記録媒体に、ＡＶデータＤａ、付属情報Ｄｂ、コンテンツ情報Ｄｃ、及びＩピクチャ情報Ｄｄを記録する。
【００７１】
以下、上記の録画における録画開始時の記録再生処理部１４の動作を、図５を用いてより詳しく説明する。
ユーザー操作、もしくは録画予約に応じて録画の開始が指示される（ステップＳ３０１）と、記録再生処理部１４は、接続されている記録媒体の確認（ステップＳ３０２）を行う。この確認により、記録媒体の種類及び数を特定する。
【００７２】
複数の記録媒体が検出された場合（ステップＳ３０３でＹｅｓ）は、ステップＳ３０４に移行する。
ステップＳ３０４では、ユーザー操作により、或いは録画予約時に指定した録画先記録媒体を特定し、録画先と特定された記録媒体の容量を確認する（ステップＳ３０５）。
録画先と特定された記録媒体に空き容量があれば（ステップＳ３０６でＹｅｓ）、記録を開始（ステップＳ３０８）する。
【００７３】
録画先と特定された記録媒体に空き容量がなければ（ステップＳ３０６でＮｏ）、記録媒体の変更が可能か否かを判定し（ステップＳ３０７）、記録媒体の変更が可能であれば（Ｓ３０７でＹｅｓ）、ステップＳ３０４に戻り、別の記録媒体を録画先として決定し、変更後の新たな記録媒体について容量確認を行う（Ｓ３０５）。
もしも、記録媒体の変更が不可能であれば（Ｓ３０７でＮｏ）、記録を開始せずに録画処理を終了（ステップＳ３０９）する。
【００７４】
次に、録画開始後に記録を行っている記録媒体の空き容量がなくなった場合の記録再生処理部１４の処理を、図６を参照して説明する。
【００７５】
一つのコンテンツの録画が継続（ステップＳ４０１）されている状態で、録画を行っていた記録媒体（例えば記録媒体５Ａ）の残容量が０になった場合（Ｓ４０２でＹｅｓ）、記録再生処理部１４に他の記録媒体が接続されているか否かの判定（ステップＳ４０３）を行い、他の記録媒体が接続されていない場合（ステップＳ４０３でＮｏ）は録画を終了（ステップＳ４０５）する。
【００７６】
１つ以上の「他の記録媒体」が接続されている場合（ステップＳ４０３でＹｅｓ）には、記録媒体の変更（切り替え）を行う（ステップＳ４０４）。「他の記録媒体」が１つだけの場合には、当該他の記録媒体を次に記録を行う記録媒体とする。２以上の「他の記録媒体」が接続されている場合には、そのうちのいずれか１つを次に記録を行う記録媒体として選択する。この選択は、例えば、予め定められた規則に従って行われる。
【００７７】
次に、それまで録画を行っていた記録媒体（例えば記録媒体５Ａ）に記録済みのデータ（当該コンテンツのうちの記録済みデータ）を複写するだけの十分な空き容量が、上記の選択された記録媒体（次に記録を行うべきものとして選択された記録媒体）にあるか否かをチェックする（Ｓ４０６）。
【００７８】
十分な空き容量が無い場合（ステップＳ４０６でＮｏ）は、上記の選択された記録媒体（次に記録を行うべきものとして選択された記録媒体）の空き領域への記録を開始することで、録画を継続する（ステップＳ４０９）。
【００７９】
十分な空き容量がある場合（ステップＳ４０６でＹｅｓ）、記録媒体変更前に記録した容量（記録済みのデータのサイズ）を再確認する（ステップＳ４０７）。
そして、変更（切り替え）後の記録媒体にステップＳ４０７で再確認した容量の領域を確保する（ステップＳ４０８）。
【００８０】
その後、確保した領域に続く部分から記録を行うことで録画を継続する（ステップＳ４１０）。この場合、新たに受信されたコンテンツの第２の部分の録画をしながら、変更前の記録媒体（記録媒体５Ａ）に録画済みのＡＶデータＤａの一部の区間を、変更後の記録媒体（記録媒体５Ｂ）の上記確保した領域に複写する。即ち、新たに受信されたコンテンツの第２の部分の録画と、変更前の記録媒体から変更後の記録媒体への複写は並行して行われる。
【００８１】
新たに受信されたコンテンツの第２の部分の録画の継続中に上記一部の区間の複写が終了したら（ステップＳ４１１でＹｅｓ）、それ以降は複写を停止し、ステップＳ４０９に移行し、新たに受信したコンテンツの録画のみを行う。
【００８２】
逆にＩピクチャの複写が終了しないうちに、新たに受信されているコンテンツのデータの記録媒体５Ｂへの記録が終了したときは（ステップＳ４１２でＹｅｓ）、それ以降は、複写のみをする（ステップＳ４１３）。
【００８３】
ＩピクチャのＡＶデータＤａの複写を行う場合には、書き込み読み出し部４０４が、記録媒体５Ａに記録され又は管理情報記憶部４０８に記憶されているＩピクチャ情報を参照して、Ｉピクチャ情報の位置及びデータサイズを確認し、記録媒体５Ａに記録されているＩピクチャのＡＶデータＤａを読み出して、記録媒体５Ｂに書き込む。
またＩピクチャのＡＶデータＤａの複写の前に関連情報Ｄｅを、記録媒体５Ａから読み出して記録媒体５Ｂに書き込む。これらの処理は、新たに受信処理部１３から出力されるＡＶデータＤａの記録媒体５Ｂへの記録と並行して行われる。
【００８４】
なお、記録媒体５Ａから記録媒体５ＢにＡＶデータＤａを複写する場合に、再エンコードを行っても良い。この場合、可能であれば、受信処理部１３内のエンコーダー３０７を利用しても良い。即ち、エンコーダー３０７が、新たに受信処理部１３で受信されているデータのエンコードに利用されていなければ、記録媒体５Ａから読み出したＡＶデータＤａを、記録再生処理部１４からエンコーダー３０７に送り、エンコーダー３０７で再エンコードを行って、記録再生処理部１４に戻し、記録媒体５Ｂに書き込むこととしても良い。
【００８５】
以下、複数の記録媒体に跨って記録する場合に、記録媒体内において各データが記録される領域について説明する。
【００８６】
図７（ａ）及び（ｂ）は、記録再生装置に接続されている記録媒体５Ａ及び５Ｂの
記録済み領域及び空き領域の一例を示す。
記録媒体５Ａには、図７（ａ）に示すように、コンテンツＡ−１からコンテンツＡ−Ｘまでがそれぞれ領域５１１−１、５１１−２、…５１１−Ｘに記録されており、記録媒体５Ａの空き容量５１２が少なく、一方、記録媒体５Ｂには、図７（ｂ）に示すように、コンテンツＢ−１のみ領域５２１に記録されている状態であり十分な空き容量５２２がある。
コンテンツＡ−１〜Ａ−Ｘ、Ｂ−１の各々には、関連情報ＤｅとＡＶデータ（ストリームデータ）Ｄａが格納されている。
【００８７】
図８（ａ）及び（ｂ）は、図７（ａ）及び（ｂ）の状態から、記録媒体５Ａの空いていた領域５１２に対して記録を開始し、記録媒体５Ａの空き容量がなくなり、記録媒体５Ｂに継続して記録し終わった後の記録媒体の状態を示す。
【００８８】
図７（ａ）及び（ｂ）の状態において、記録媒体５Ａの領域５１１−Ｘの次の部分へのコンテンツＡ−（Ｘ＋１）の記録が開始される。
記録媒体５Ａへの記録を続けるとやがて図８（ａ）に示すように、空いていた領域５１２がすべてコンテンツＡ−（Ｘ＋１）の第１の部分（前の部分）を記録した領域５１１−（Ｘ＋１）＿αに変わり、記録媒体５Ａの残容量がなくなる。そのときに、記録媒体５Ａの領域５１１（Ｘ＋１）＿αに記録した容量を（Ｘ＋１）＿αＭｂｙｔｅとする。その場合、次の記録媒体である記録媒体５Ｂに継続して記録を行うに際し、図８（ｂ）に示すように、記録媒体５Ａに記録された（Ｘ＋１）＿αＭｂｙｔｅ分の容量の領域５２１−２＿αをコンテンツＢ−１の記録領域５１２−１の後に確保（確保可能であることを確認した上で）し、それに続く領域５２１−２＿βに、上記コンテンツＡ−（Ｘ＋１）の続き（第２の部分、すなわち上記の第１の部分の後に再生されるべき部分）Ａ−（Ｘ＋１）＿βを記録する。最終的にコンテンツＡ−（Ｘ＋１）は、記録媒体５Ａ及び記録媒体５Ｂに跨って記録された状態となる。記録媒体５Ｂの空き領域は、図７（ｂ）の５２２で示す範囲から、図８（ｂ）の５２２’で示す範囲に変わる。
【００８９】
図９（ａ）〜（ｄ）は、上記した、記録媒体５Ａ及び５Ｂに跨って記録したコンテンツにおける最終的な記録媒体に記録されているデータ配列である。図９（ａ）及び（ｃ）はそれぞれ図８（ａ）及び（ｂ）と同じである。図９（ｂ）は、図９（ａ）の領域５１１−（ｘ＋１）＿αの詳細を示す。図９（ｄ）は、図９（ｃ）の領域５２１−２＿αの詳細を示す。図９（ａ）及び（ｂ）に示すように、記録媒体５Ａには、図８（ａ）で示したデータがそのまま保存されている。
【００９０】
以上のような領域５２１−２＿βへのコンテンツの第２の部分Ａ−（Ｘ＋１）＿βの記録と並行して、図９（ｃ）及び（ｄ）に示すように、領域５２１−２−α（記録媒体５Ｂへの記録の開始前に確保した（Ｘ＋１）＿αＭｂｙｔｅ分の領域）に、コンテンツの第１の部分Ａ−（Ｘ＋１）＿αのうちの一部の複写が行われる。
【００９１】
次に、複写するデータについて説明する。
図９（ｂ）の記録媒体５Ａの領域５１１−（Ｘ＋１）＿αの先頭の領域５３１の関連情報Ｄｅは、そのまま記録媒体５Ｂの領域５２１−２＿αに複写される。
記録媒体５Ａの領域５１１−（Ｘ＋１）＿αのＩピクチャ領域５３２のデータは、そのまま記録媒体５Ｂの領域５４２に複写される。
【００９２】
記録媒体５Ａの領域５１１−（Ｘ＋１）＿αのＰ、Ｂピクチャ領域５３３のデータは、記録媒体５Ｂには複写されず、Ｉピクチャ領域５４２間に、対応するＰ、Ｂピクチャ領域５３３の同じ容量の領域５４３が空けたままとされる。
この領域５４３は後に対応するＰ、Ｂピクチャ領域５３３のデータを複写するための領域である。
【００９３】
解析部３０５でＩピクチャのデータの位置及びデータサイズを示す情報を取得しているので、記録再生処理部１４では、この情報を利用することで、記録媒体５Ａから記録媒体５ＢにＩピクチャのデータを複写する処理を高速に行うことができる。即ち、記録媒体５Ａに記録されているストリームファイルを解析し、Ｉピクチャの位置などを確認した上でＩピクチャのＡＶデータを抜き出すよりも高速に複写ができる。
【００９４】
また、解析部３０５でＩピクチャを含むＧＯＰのサイズを示す情報が取得できるので、Ｉピクチャ以外のデータ、即ちＰ、Ｂピクチャのための領域を確保しながら、Ｉピクチャのみを複写することができる。
【００９５】
なお、Ｉピクチャのみを複写する代わりにＩピクチャ以外のデータ、即ちＰ、Ｂピクチャを同時記録し、後にＩピクチャを複写することとしても良い。
【００９６】
上記のように本発明の実施の形態によれば、複数の記録媒体に跨って、記録を行う場合に、コンテンツの第２の部分の記録を行いながら、コンテンツの第１の部分のＩピクチャ等のデータを複写しておくため、コンテンツの録画が終わってから、コンテンツの第１の部分を全て記録媒体間で複写するよりも、複写時間が短くなる。
【００９７】
また、複数の記録媒体に跨って録画した後、コンテンツの第１の部分を記録した記録媒体がフォーマットされて付属情報が消去された場合にも、コンテンツの第２の部分を記録した記録媒体（上記の例では記録媒体５Ｂ）にもコンテンツの付属情報が記録されているので、コンテンツの第２の部分のみ及び第１の部分の一部の区間を再生することができる。
【００９８】
さらに、複数の記録媒体に跨って録画した後、一つの記録媒体にコンテンツのデータを集約するので、その後は、再生に当たり、複数の記録媒体に電源を供給する必要がなくなり省電力になる。
【００９９】
さらにまた、複数の記録媒体に跨って録画していても、ＡＶデータの一部を録画中に複写しているため、誤って先に録画していた記録媒体のデータを消去しても前のデータの一部を参照することができる。
【０１００】
実施の形態２．
図１０は本発明の実施の形態２の記録再生装置１０ｂを示す。
図示の記録再生装置１０ｂは、図１の記録再生装置１０と慨して同じであるが、
図１の受信処理部１３の代わりに、受信処理部１３ｂが設けられ、記録再生処理部１４の代わりに記録再生処理部１４ｂが設けられている。受信処理部１３ｂは例えば図１１に示されるように構成され、記録再生処理部１４ｂは例えば図１２に示されるように構成されている。
【０１０１】
図１１に示される受信処理部１３ｂは、図２の受信処理部１３と慨して同じであるが、解析部３０５の代わりに解析部３０５ｂが設けられている点で異なる。
【０１０２】
図１２に示される記録再生処理部１４ｂは、図３の記録再生処理部１４と慨して同じであるが、データ記録部４１１の代わりに、データ記録部４１１ｂが用いられ、データ再生部４１２の代わりにデータ再生部４１２ｂが用いられている点で異なる。データ記録部４１１ｂは、図３のデータ記録部４１１と慨して同じであるが、データ分割書き込み制御部４２１が付加されている点で異なる。
データ再生部４１２ｂは、図３のデータ再生部４１２と慨して同じであるが、分割データ読み出し制御部４２２が付加されている点で異なる。
図１０、図１１、図１２において、図１、図２、図３と同じ符号は同様の部材を示す。
【０１０３】
解析部３０５ｂは、付属情報生成部３０６に加えて特徴区間検出部３１１を有する。特徴区間検出部３１１は、選別部３０４から出力されるＡＶデータＤａの解析を行い、特徴区間を検出し、特徴区間の位置（先頭及び末尾の位置）（コンテンツ内の位置、例えば先頭からの相対位置）示す情報（特徴区間情報）Ｄｊを出力する。ここで言う特徴区間は例えばコマーシャルメッセージ（ＣＭ）の区間であり、特徴区間以外の区間（非特徴区間）は本編区間と判断される。
【０１０４】
特徴区間の検出は、映像データの変化、音声データの変化、付属情報の変化、変化の周期性になどに基づいて行われる。例えば、本編からＣＭへの切り替わり時には、映像が大きく変化するとともに、一時的に無音状態となること、付属情報で表される字幕の内容が変化することが多く、これらの条件の１つ又は２つ以上が満たされるか否かなどによって、切り替わりかどうかを判断することができる。
特徴区間検出部３１１は、このようにして検出された特徴区間の位置（コンテンツの先頭に対する相対位置）を示す情報を、特徴区間情報Ｄｊとして出力する。
特徴区間情報Ｄｊは記録再生処理部１４ｂに供給される。
【０１０５】
特徴区間情報Ｄｊは、データ分割書き込み制御部４２１及び分割データ読み出し制御部４２２に供給される。
【０１０６】
データ分割書き込み制御部４２１は、特徴区間検出部３１１から供給された特徴区間情報Ｄｊで示される特徴区間のＡＶデータと、それ以外のＡＶデータ（非特徴区間のＡＶデータ）を分割して記録するよう、書き込み読み出し部４０４に要求する。
【０１０７】
実施の形態１と同様に、書き込み読み出し部４０４はＡＶデータＤａ及び関連情報Ｄｅを選択された記録媒体に書き込むが、その際、書き込み読み出し部４０４は、データ分割書き込み制御部４２１からの要求に基づいて分割記録を行う。
【０１０８】
この分割記録について、図１３（ａ）及び（ｂ）を参照して説明する。
図１３（ａ）は、分割記録を行わない場合を示す。図示のように、先頭（ヘッダ領域）５５１に関連情報Ｄｅが記録され、その後（ボディ領域）５５２にＡＶデータ（ストリームデータ）Ｄａが記録されている。
なお、関連情報Ｄｅを記録した領域５５１は、ＡＶデータを記録した領域５５２と一緒に管理してもよいし、別に管理してもよい。
【０１０９】
図１３（ｂ）は、分割記録を行った場合を示す。
図１３（ａ）と同様に、先頭（ヘッダ領域）５５１に関連情報Ｄｅが記録され、それに続く領域５５３に特徴区間情報Ｄｊが記録され、それに続く領域５５４にＡＶデータが記録されている。
ＡＶデータＤａを記録した領域５５４は、非特徴区間データ領域５５５と特徴区間データ領域５５６とに分けられている。特徴区間データ領域５５６は非特徴区間領域５５５よりも後に配置されている。特徴区間データ領域５５６には、特徴区間情報Ｄｊで特定される特徴区間のＡＶデータが記録され、非特徴区間データ領域５５５には、特徴区間以外のＡＶデータが記録されている。
【０１１０】
特徴区間のＡＶデータは、コンテンツのＡＶデータ（ストリームデータ）が逐次受信される際に、逐次抽出されるものであるので、図１３（ｂ）に示すような分割記録を行うには、特徴区間情報Ｄｊのデータのサイズ、コンテンツのデータのサイズ、及び特徴区間のＡＶデータのサイズを予測し、予測したデータサイズに基づいて、特徴区間情報Ｄｊのデータの記録のための領域５５３、コンテンツのデータの記録のための領域５５４、非特徴区間のＡＶデータのための領域５５４及び特徴区間のＡＶデータのための領域５５６を予め指定し、コンテンツのデータが逐次受信される間に、特徴区間を検出して特徴区間情報Ｄｊを領域５５３に記録するとともに、特徴区間のＡＶデータを領域５５６に記録し、一方、非特徴区間のＡＶデータを領域５５５に記録して行く。
【０１１１】
図１３（ａ）の場合と、図１３（ｂ）の場合とで、同じコンテンツのデータを記録しているものとすれば、図１３（ｂ）のＡＶデータ領域５５４は図１３（ａ）のＡＶデータ領域５５２とは同じサイズである。但し、領域の指定に当たっては、予測の誤差を考慮に入れて幾分大目に領域を確保するのが望ましく、大目にする場合には、図１３（ｂ）のＡＶデータ領域５５４は、図１３（ａ）のＡＶデータ領域５５２よりも大きくなる。
図１３（ｂ）に示されるように記録が行なわれた場合、非特徴区間データ領域５５５内のデータと、特徴区間データ領域５５６内のデータとは連続したものではない。
【０１１２】
以上、コンテンツのデータが１つの記録媒体に記録されるものとして説明したが、２つの記録媒体に跨って記録する場合の処理を図１４（ａ）〜（ｈ）を参照して説明する。
図１４（ａ）、（ｃ）、（ｅ）、（ｇ）は、一つの記録媒体５Ａ上での記録の様子を示し、図１４（ｂ）、（ｄ）、（ｆ）、（ｈ）は、他の記録媒体５Ｂ上での記録の様子を示す。
【０１１３】
記録媒体５Ａが、コンテンツの録画のために例えばユーザーにより指定されたものである。コンテンツの録画の開始時に、記録媒体５Ａの空き領域ＳＡ（図１４（ａ））の容量（残容量）が、録画すべきコンテンツのデータをすべて記録するには十分ではないと予測される場合を想定している。
この場合、他の記録媒体５Ｂに、録画すべきコンテンツのデータをすべて記録するための領域ＳＢ（図１４（ｂ））を確保した上で、記録を開始する。
【０１１４】
記録媒体５Ａの空き領域ＳＡの先頭部分には、関連情報領域５５１Ａ及び特徴区間情報領域５５３Ａが確保され、その後に非特徴区間ＡＶデータのための領域５５５Ａが確保される。
一方、記録媒体５Ｂの領域ＳＢの先頭部分には、関連情報領域５５１Ｂ及び特徴区間情報領域５５３Ｂが確保され、その後に非特徴区間ＡＶデータのための領域５５５Ｂ及び特徴区間ＡＶデータのための領域５５６Ｂが確保される。
【０１１５】
領域５５５Ｂは、領域５５１Ｂ１と領域５５５Ｂ２に分けられている。領域５５５Ｂ２は領域５５５Ｂ１よりも後に位置する。領域５５５Ｂ１は、記録媒体５Ａの領域５５５Ａと同じ容量であり、領域５５５Ａに記録したデータを後に複写するためものである。
記録媒体５Ａの領域５５５Ａは、非特徴区間ＡＶデータの記録にも十分でないことが予想され、記録媒体５Ａには、特徴区間ＡＶデータの記録のための領域は確保されていない。
【０１１６】
この状態で録画を開始すると、図１４（ａ）に示すように、記録媒体５Ａの領域５５５Ａ内に非特徴区間のＡＶデータが記録されていき、これとともに図１４（ｂ）に示すように、記録媒体５Ｂの領域５５６Ｂ内に特徴区間ＡＶデータが記録されていく。領域５５５Ａ内の矢印ＭＡは領域５５５Ａ内において、非特徴区間のＡＶデータが書き込まれた範囲を示し、領域５５６ＢＡ内の矢印ＮＢは領域５５６ＢＮ内において、受信された特徴区間のＡＶデータが書き込まれた範囲を示す。
【０１１７】
録画が進行すると、やがて図１４（ｃ）に示すように、記録媒体５Ａの領域５５５Ａには残容量がなくなる。このとき記録媒体５Ｂの領域５５６Ｂには、なおも残容量がある。
【０１１８】
図１４（ｃ）に示すように、記録媒体５Ａの領域５５５Ａに残容量がなくなると、それ以降は、図１４（ｆ）に示すように、非特徴区間のＡＶデータを記録媒体５Ｂの領域５５５Ｂ２の先頭から記録していく。これと並行して、記録媒体５Ａの領域５５５Ａのデータを、記録媒体５Ｂの領域５５５Ｂ１に複写していく。図１４（ｅ）の矢印ＣＡは領域５５５Ａ内のデータのうち、複写が済んだ範囲を示し、図１４（ｆ）の矢印ＣＢは領域５５５Ｂ１内の複写されたデータの占める範囲を示す。
【０１１９】
録画がさらに進行し、コンテンツの受信が終わった時点では、図１４（ｈ）に示すように、記録媒体５Ｂの領域５５５Ｂ２及び領域５５６Ｂのいずれにもほとんど残容量がない状態となる。若干の残容量の残るのは、領域を大目に確保したためである。
受信されたデータの記録に並行して、記録媒体５Ａから記録媒体５Ｂへの複写も進むが、図１４（ｇ）、（ｈ）に示す例では、領域５５５Ａ内には複写がまだ行われていないデータが残っており、領域５５５Ｂ１内にもまだ複写による書き込みが行われていない部分が残っている。
【０１２０】
コンテンツの受信が終わった時点で、複写も中断してもよく、受信が終わった後も複写を続けて、領域５５５Ａ内のデータをすべて領域５５５Ｂ１に複写するようにしても良い。
【０１２１】
なお、領域５５１Ａ、５５１Ｂには、図１３（ｂ）の領域５５１と同じデータが記録され、領域５５３Ａ、５５３Ｂには、図１３（ｂ）の領域５５３と同じデータが記録される。
【０１２２】
以上のような処理により、書き込み読み出し部４０４は、新たに受信されるコンテンツのデータの記録媒体５Ｂへの記録と並行して、非特徴点区間のデータの一部を、「一部の区間のデータ」として記録媒体５Ａから記録媒体５Ｂへ複写する。
なお、特徴点区間のデータの一部を、「一部の区間のデータ」として記録媒体５Ａから記録媒体５Ｂへ複写するようにしても良い。
【０１２３】
以上のようにして記録されたコンテンツのデータの読み出しは以下のように行われる。
ＡＶデータ読み出し制御部４０５及び関連情報読み出し制御部４０６の要求に応じて、書き込み読み出し部４０４は、読み出すべきものとして選択されたコンテンツのＡＶデータＤａ及び関連情報Ｄｅを記録媒体から読み出して、ＡＶデータ読み出し制御部４０５及び関連情報読み出し制御部４０６に供給する。
【０１２４】
この読み出し際、分割データ読み出し制御部４２２は、図１３（ｂ）に示すように分割記録されたＡＶデータのうちの特徴区間のみを再生しても良く、非特徴区間のみを再生しても良く、特徴区間のデータと非特徴区間のデータを統合して読み出すようにしても良い。統合して読み出す場合には、分割データ読み出し制御部４２２は、分割記録されたＡＶデータを特徴区間情報Ｄｊに基づいて並べ替えることで元の順序に戻しながら読み出すよう、書き込み読み出し部４０４を制御する。書き込み読み出し部４０４は、分割データ読み出し制御部４２２による制御に基づいて、ＡＶデータを元の順序（分割前の順序）で読み出す。
上記のうちのどの方法で読み出しを行うかを、ユーザーが選択可能としても良い。
【０１２５】
上記のように複写を行うと、複写を高速に行うことができる。解析部３０５ｂで特徴区間の位置(従って、特徴区間のデータの容量)を示す情報を取得しているので、記録再生処理部１４ｂでは、この情報を利用することができるためである。即ち、記録媒体５Ａに記録されているストリームファイルを解析し、特徴区間の位置を確認した上で、特徴区間のＡＶデータを抜き出すよりも高速に複写ができる。
【０１２６】
以上のように、記録媒体間でデータを複写するに当たっては、特徴区間情報Ｄｊに基づいて、特徴区間データ又は非特徴区間データを優先的に複写することしているので、残りのデータ（優先的に複写したデータ以外のデータ）の複写を短時間で行うことができる。
【０１２７】
また、特徴区間もしくは非特徴区間を予め指定して優先的に複写することができ、そのためユーザーの必要に応じて、どちらを優先的に複写するかを選択することができる。
【０１２８】
以上、本発明を映像と音声の双方を含むＡＶデータの記録に適用する場合について説明したが、本発明は映像データのみ、或いは音声データのみの記録にも適用できる。
【０１２９】
以上、本発明を装置として説明したが、上記の装置で実施される方法もまた本発明の一部を成す。
【符号の説明】
【０１３０】
５Ａ、５Ｂ、…５Ｎ  記録媒体、  １０、１０ｂ  記録再生装置、  １２  録画再生制御部、  １３、１３ｂ  受信処理部、  １４、１４ｂ  記録再生処理部、  １６  出力処理部、  １７  出力部、  ３０１  受信部、  ３０２  チューナー部、  ３０３  ネットワークインターフェース部、  ３０４  選別部、  ３０５、３０５ｂ  解析部、  ３０７  エンコーダー、  ３０８  バッファ部、  ３１１  特徴区間検出部、  ４０１  付属情報解読部、  ４０２  ＡＶデータ書き込み制御部、  ４０３  関連情報書き込み制御部、  ４０４  書き込み読み出し部、  ４０５  ＡＶデータ読み出し制御部、  ４０６  関連情報読み出し制御部、  ４０７  記録媒体管理部、  ４０８  管理情報記憶部、  ４２１  データ分割書き込み制御部、  ４２２  分割データ読み出し制御部、  ６０１  管理情報取得部、  ６０２  関連情報取得部、  ６０３  ＡＶデータ取得部、  ６０４  デコーダー、  ６０５  合成部。
【図１】
2014049150.tif 000003
【図２】
2014049150.tif 000004
【図３】
2014049150.tif 000005
【図４】
2014049150.tif 000006
【図５】
2014049150.tif 000007
【図６】
2014049150.tif 000008
【図７】
2014049150.tif 000009
【図８】
2014049150.tif 000010
【図９】
2014049150.tif 000011
【図１０】
2014049150.tif 000012
【図１１】
2014049150.tif 000013
【図１２】
2014049150.tif 000014
【図１３】
2014049150.tif 000015
【図１４】
2014049150.tif 000016